(57)【要約】【課題】筆記時におけるバランス及び安定感を維持しつつ、使用者の好みによって把持した際の把持感触や重心位置を容易に変更可能な筆記具を提供すること。【解決手段】  軸筒２の内部に、軸筒２の前端開口部１０ａから前端部が突出する筆記体（ボールペンレフィル３）を備え、軸筒２の外周面に形成した支持部（前部外周面８ａ）に、軸筒２を取り囲む把持部材７を配設し、把持部材７が、一方の開口端と他方の開口端の外径を同一とし、把持部材７の中央よりも一方の開口端側が、把持部材７の他の部分より外径及び肉厚が大きくなるよう形成され、把持部材７が、一方の開口端または他方の開口端のどちらからでも軸筒２の前端開口部１０ａ側から支持部に対して着脱自在、且つ回動不能に構成すること。【選択図】図１
2018187812.tif 000002
【特許請求の範囲】
【請求項１】
軸筒の内部に、該軸筒の前端開口部から前端部が突出する筆記体を備え、当該軸筒の外周面に形成した支持部に、当該軸筒を取り囲む把持部材が配設された筆記具であって、
前記把持部材が、一方の開口端と他方の開口端の外径を同一とし、該把持部材の中央よりも該一方の開口端側が、当該把持部材の他の部分より外径及び肉厚が大きくなるよう形成され、
前記把持部材が、前記一方の開口端または前記他方の開口端のどちらからでも前記軸筒の前端開口部側から前記支持部に対して着脱自在、且つ回動不能に構成され、
前記把持部材の一方の開口端を前記軸筒の前端開口部側に配設したときの筆記具の重心が、前記他方の開口端を前記軸筒の前端開口部側に配設したときの筆記具の重心よりも前記軸筒の前端開口部側に位置することを特徴とした筆記具。
【請求項２】
前記把持部材が、前記軸筒の前端開口部から大径部に向かって徐々に外径が大きくなる第１の曲面と、前記大径部から前記把持部の中央部に向かって徐々に縮径する第２の曲面と、を有することを特徴とする請求項１に記載の筆記具。
【請求項３】
前記把持部材が、それぞれ異なる比重を有する複数の部材同士を固着することで一体的に構成され、
前記複数の部材のなかで、前記把持部材の一方の端部に配設された部材が、最も高比重の材料で形成された錘部を具備することを特徴とした請求項１または２に記載の筆記具。
【請求項４】
前記軸筒の支持部に軸方向に沿って延びる凸状または凹状のレール部が形成され、
前記把持部材の内周面に前記レール部に対して摺動自在に係合する凹状または凸状の被レール部が形成されていることを特徴とする請求項１ないし３の何れか１項に記載の筆記具。
【請求項５】
前記複数の部材を金属材料と樹脂材料の組み合わせで構成したことを特徴とする請求項３または４に記載の筆記具。
【発明の詳細な説明】
【技術分野】
【０００１】
本発明は、筆記具に関するものであり、特に軸筒を取り囲む把持部材を備えた筆記具に関するものである。
【背景技術】
【０００２】
従来から、筆記具は、筆記時の疲労を軽減することや、筆記具を把持した際に滑らないよう把持部の形状や材質に工夫がなされてきた。また、実開平６−５０８８４「筆記具における軸筒」のように、把持部に外面処理の異なる環体を複数個着脱自在に配置し、複数の環体を組み替えることにより、使用者の触感の好みに合わせて把持部を構成し、把持感触を変更することができる技術が開示されている。
【０００３】
しかしながら、実開平６−５０８８４「筆記具における軸筒」では、把持感触は使用者の好みに合わせることが可能であるが筆記具の重心位置は考慮されていないため、把持はし易くとも必ずしも筆記し易い筆記具にはならない場合があった。
【０００４】
一方、筆記具における重心位置については、例えば、特開２００１−２７０２８１号公報「筆記具」のように、本体筒を、前部領域、中間領域、後方領域としたとき、中間領域に重心が位置することで、筆記時において安定した微小な往復回転運動ができる筆記具が開示されている。
【０００５】
しかしながら、特開２００１−２７０２８１号公報「筆記具」のように、中間領域を重心位置にするには、筆記具の総重量及び各筆記具用部品の重量を考慮すれば設定可能であるが、中間領域に重心位置を設定しただけでは、筆記具を把持した際のバランス及び安定感が良好であるものではなかった。これは、例えば、筆記具の先端部及び後端部に金属部品を用いた場合でも、結果的には、中間領域を重心位置とすることができるが、把持した際のバランスが悪くなり安定感がないためである。
【０００６】
この問題を解決する手段として、本願出願人は、特開２００４−３３８２３５号公報「筆記具」にて、筆記具における重心位置及び重量バランスを限定することにより、筆記時における筆記具のバランス及び安定感が良好であり、円滑な微小往復回転運動が可能で好適な筆記動作を可能にする筆記具を開示した。
【先行技術文献】
【特許文献】
【０００７】
【特許文献１】実開平６−５０８８４
【特許文献２】特開２００１−２７０２８１号公報
【特許文献３】特開２００４−３３８２３５号公報
【発明の概要】
【発明が解決しようとする課題】
【０００８】
しかしながら、特開２００４−３３８２３５号公報「筆記具」では、筆記具における重心位置及び重量バランスを限定することにより、筆記時における筆記具のバランス及び安定感は得られたものの、使用者の好みは人それぞれであり、一度重心位置を決めて筆記具を製作してしまうと重心位置や把持感触を変更できなくなることから、必ずしも万人に使い易い筆記具ではなかった。
【０００９】
本発明は以上の知見からなされたものであって、筆記時における筆記具のバランス及び安定感を維持しつつ、使用者の好みによって把持した際の把持感触や重心位置を容易に変更可能な筆記具を提供することである。
【課題を解決するための手段】
【００１０】
本発明は、
「１．軸筒の内部に、該軸筒の前端開口部から前端部が突出する筆記体を備え、当該軸筒の外周面に形成した支持部に、当該軸筒を取り囲む把持部材が配設された筆記具であって、
前記把持部材が、一方の開口端と他方の開口端の外径を同一とし、該把持部材の中央よりも該一方の開口端側が、当該把持部材の他の部分より外径及び肉厚が大きくなるよう形成され、
前記把持部材が、前記一方の開口端または前記他方の開口端のどちらからでも前記軸筒の前端開口部側から前記支持部に対して着脱自在、且つ回動不能に構成され、
前記把持部材の一方の開口端を前記軸筒の前端開口部側に配設したときの筆記具の重心が、前記他方の開口端を前記軸筒の前端開口部側に配設したときの筆記具の重心よりも前記軸筒の前端開口部側に位置することを特徴とした筆記具。
２．前記把持部材が、前記軸筒の前端開口部から大径部に向かって徐々に外径が大きくなる第１の曲面と、前記大径部から前記把持部の中央部に向かって徐々に縮径する第２の曲面と、を有することを特徴とする前記１項に記載の筆記具。
３．前記把持部材が、それぞれ異なる比重を有する複数の部材同士を固着することで一体的に構成され、
前記複数の部材のなかで、前記把持部材の一方の端部に配設された部材が、最も高比重の材料で形成された錘部を具備することを特徴とした前記１項または２項に記載の筆記具。
４．前記軸筒の支持部に軸方向に沿って延びる凸状または凹状のレール部が形成され、
前記把持部材の内周部に前記レール部に対して摺動自在に係合する凹状または凸状の被レール部が形成されていることを特徴とする前記１項ないし３項の何れか１項に記載の筆記具。
５．前記複数の部材を比重の異なる金属材料と樹脂材料の組み合わせで構成したことを特徴とする前記３項または４項に記載の筆記具。」である。
【００１１】
本発明によれば、把持部材が、一方の開口端を前記軸筒の前端開口部側又は他方の開口端を前記軸筒の前端開口部側のどちらからでも前記支持部に対して着脱自在、且つ回動不能に構成され、前記把持部材の一方の開口端を前記軸筒の前端開口部側に配設したときの筆記具の重心が、前記他方の開口端を前記軸筒の前端開口部側に配設したときの筆記具の重心よりも前記軸筒の前端開口部側に位置する。こうしたことにより、第１に、把持部材を前後逆に付け替えることで、肉厚及び外径変化による把持感触を使用者の好みに合わせて変更することができる。第２に、把持部材を前後逆に付け替えることで、筆記具の重心位置を使用者の好みに合わせて変更することができる。
尚、回動不能とは、使用者が容易に回転させないように、把持部材を装着する構成であり、係合、圧入、挟持など特に限定されるものではない。具体的には、把持部材を回転するのに必要な力は、０．０５Ｎ・ｍ以上、より好ましくは、０．１Ｎ・ｍ以上とすることが好ましい。また、把持部材を回転する力は、株式会社東日製作所社製のトルクメーターを用いて測定することができる。更に、各部品の作製時の寸法誤差により発生する微小な回動（がたつき）は、本発明においては回動には含まないものとする。
【００１２】
また、把持部材の一方の開口端の外径と他方の開口端の外径とを同一に形成することで、把持部材を前後逆に付け替えた際の、把持部材と隣接する部品との間に段差ができなくなることから筆記具を把持した際の感触の低下を防ぐことができる。
【００１３】
更に、他の発明によれば、把持部材が、軸筒の前端開口部から大径部に向かって徐々に外径が大きくなる第１の曲面と、大径部から把持部の中央部に向かって徐々に縮径する第２の曲面とを有することで、大径となる部分に手や指が当接しても急激に径が変化しないため、安定した把持感触を得ることができる。
【００１４】
また、他の発明によれば、把持部材が、それぞれ異なる比重を有する複数の部材同士を固着することで一体的に構成され、複数の部材のなかで、把持部材の一方の端部に配設された部材が最も高比重の材料で形成された錘部を具備することで、把持部材を軸筒に対して前後逆に付け替えた際の重心位置の変化が大きくなるため、使用者が重心位置が変化したことを認識し易く、使用者の感覚に合った把持部材の方向を選択し易くなる効果を奏する。
【００１５】
更に、把持部材を軸筒に対して前後逆に付け替えた際に把持感触を変化させる別の方法としては、把持部材を構成する複数の部材の表面に、それぞれ異なる凹凸部を形成することで変化させてもよく、複数の部材をそれぞれ異なる硬さの材料で形成することで変化させてもよい。
尚、把持部材を構成する複数の部材をそれぞれ固着する方法としては、一方の部材に係止部を設け、他方の部材に被係止部を設けて係止させることで固着してもよく、部材同士を接着固定することで固着してもよく、２色成形を用いて一体的に成形することで固着してもよい。
【００１６】
また、他の発明によれば、軸筒の支持部にレール部を形成し、把持部材の内周面に被レール部を形成し、レール部と被レール部とを摺動自在且つ回動不能に構成することで、軸筒に対して把持部材を容易に着脱可能とすることができ、更に回動不能とすることで筆記時に把持部材が軸筒に対して回転することを防いで筆感の低下を防止できる。
尚、前記軸筒の支持部に軸方向に沿って延びるように形成するレール部は凸状でも凹状でもよく、その断面形状も三角、四角、半円形等、特に限定されることはない。そして、
持部材の内周部に形成させる被レール部は、軸方向に摺動自在且つ軸周方向に回動不能にに係合すれば凹状に形成しても凸状に形成してもよく、その断面形状もレール部に合わせて形成すればよい。
また、被レール部は把持部材を構成する複数の部材の内、最低でも１部材以上の内周面に形成されていればよく、全てに形成されていてもよい。尚、複数の部材に被レール部を形成する場合は、部材同士を固着した際に被レール部同士も軸周方向の位置が合うよう位置決め用のスリットや印等があることが好ましい。
【００１７】
更に、他の発明によれば、把持部材を構成する複数の部材を黄銅、アルミ合金、ステンレス等の金属材料と、ＰＰ樹脂、ＡＢＳ樹脂、ＰＣ樹脂等の樹脂材料の組み合わせで構成することが好ましく、この場合、比重の比較的高い金属材料と筆記具として汎用の樹脂材料とでは比重の違いが大きいことから、軸筒の支持部に対して把持部材を前後逆に付け替えた際の重心位置の変化を認識し易くなる。また、把持部材の一部材を金属材料で形成することで、筆記具の軸方向における中央部分付近に重量バランスが集中して筆記時の慣性モーメントを下げる効果を奏する。
尚、筆記具の前端側及び後端側の部品の重量を小さくすることで、筆記具の軸方向における中間部分付近に重量バランスが集中して筆記時の慣性モーメントを下げる効果を奏するため、筆記具の前端側及び後端側に用いる部材の材質は、金属などの比重の高いものではなく、樹脂材料とすることが好ましい。
【００１８】
ここで、前記慣性モーメントについて説明すると、慣性モーメントは、物体の回転の始まりにくさ、止まりにくさを示すものであることはよく知られていて、一般的に、直棒の慣性モーメントについては、直棒の中心から回す場合と、直棒の端で回す場合において、直棒の中心で回したほうが回転によって描かれる円の直径が小さいので回し易い、従って、中心で回す場合の慣性モーメントが最も小さくなる。これは、重心位置と慣性モーメントが密接な関係にあり、重心位置と回転位置が同一であれば慣性モーメントが最も小さく、回転軸と重心位置が離間するに従って、慣性モーメントも高くなるからである。
【００１９】
このため、筆記具の最小の慣性モーメントＩは、筆記具の重心を回転軸とした、各筆記具用部品の慣性モーメントを求め、（部品Ａ＝ｄＩ１、部品Ｂ＝ｄＩ２、部品Ｃ＝ｄＩ３、・・・）これらの各部品の慣性モーメントを、下記式のように総和することによって求めることができる。
Ｉ＝（ｄＩ１＋ｄＩ２＋ｄＩ３＋・・・）
【００２０】
つまり、各筆記具用部品の慣性モーメントｄＩは、回転軸、即ち筆記具の重心から各筆記具用部品の重心までの距離を、部品Ａ＝ｒ１、部品Ｂ＝ｒ２、部品Ｃ＝ｒ３、・・・、各筆記具用部品の質量を、部品Ａ＝ｄｍ１、部品Ｂ＝ｄｍ２、部品Ｃ＝ｄｍ３、・・・、各筆記具用部品の密度：部品Ａ＝ρ１、部品Ｂ＝ρ２、部品Ｃ＝ρ３、・・・各筆記具用部品の体積を、部品Ａ＝ｄｖ１、部品Ｂ＝ｄｖ２、部品Ｃ＝ｄｖ３とすると、筆記具の回転軸に対する各筆記具用部品の慣性モーメントｄＩが、下記式で求めることができる。
部品Ａは、ｄＩ１＝ｒ１２ｄｍ１（ｄｍ１＝ρ１ｄｖ１）
部品Ｂは、ｄＩ２＝ｒ２２ｄｍ２（ｄｍ２＝ρ２ｄｖ２）
部品Ｃは、ｄＩ３＝ｒ３２ｄｍ３（ｄｍ３＝ρ３ｄｖ３）
【発明の効果】
【００２１】
本発明によれば、筆記時における筆記具のバランス及び安定感を維持しつつ、使用者の好みによって把持した際の把持感触や重心位置を容易に変更可能な筆記具を提供することができた。
【図面の簡単な説明】
【００２２】
【図１】実施例１のボールペンの縦断面図である。
【図２】図１のＡ−Ａ断面を示す拡大断面図である。
【図３】図１のＢ−Ｂ断面を示す拡大断面図である。
【図４】把持部材の拡大縦断面図である。
【図５】図１において、ボールペンレフィルを先口の前端開口部から前方へ突出させた状態を示す縦断面図である。
【図６】図５において、把持部材を取り外した状態を示す説明図である。
【図７】把持部材を前後逆にして付け替える状態を示す説明図である。
【図８】図５において、把持部材を前後逆に付け替えた状態を示す縦断面図である。
【図９】図８のおいて、ボールペンレフィルを先口の前端開口部から前方へ突出させた状態を示す縦断面図である。
【発明を実施するための形態】
【００２３】
次に、図面を参照しながら本発明の筆記具１をボールペンを用いて詳細に説明するが、本発明は以下の実施例に限定されるものではない。
尚、本発明で、「前方」とは、筆記具における先口側を指し、「後方」とは、その反対側を指す。また、「内方」とは、軸筒の外周部から軸心に向かう方向を指し、「外方」とは、その反対方向を指す
【００２４】
実施例１
本実施例の筆記具１は、ノック式のボールペンであり、図１に示すように、軸筒２と、軸筒２内に前後に摺動可能に収納されたボールペンレフィル３（筆記体）と、ボールペンレフィル３の後方に配設された回転カム４と、回転カム４の後方に配置され軸筒２の後部開口部２ａから後方に向かって突出するノック体５と、軸筒２の側面に嵌着された金属製のクリップ６と、軸筒２の前部に軸周方向に取り囲むように配設された把持部材７と、により構成してある。
また、軸筒２は、軸筒本体８と、軸筒本体８の後部に着脱不能に嵌着された後軸部材９と、軸筒本体８の前部に着脱自在に螺着された先口１０と、により構成してある。
【００２５】
ボールペンレフィル３は、ＰＰ樹脂（比重：０．９０）からなるインキ収容筒１１に筆記具用インキ組成物を直接収容し、インキ収容筒１１の前端開口部にボール（φ０．５０ｍｍ）を回転自在に抱持した金属製のボールペンチップ１２の後端部をインキ収容筒１１の前端部に圧入嵌合して得たものである。
【００２６】
軸筒本体８は、図１から図３に示すように、ＡＢＳ樹脂（比重：１．０４）を用いて筒状に形成され、前部外周面８ａ（軸筒の支持部）に雄螺子部８ｂと、雄螺子部８ｂの後方に凸状に形成され軸方向に沿って延びるレール部８ｃと、が形成してある。尚、レール部８ｃは、軸周方向に均等に４箇所形成してある。また、軸筒本体８の後部外周面８ｄには内外を貫通する係止孔部８ｅが形成してある。
【００２７】
把持部材７は、図１から図４に示すように、筒状に形成されており、前後方向に貫通する内孔７ａを形成してある。また、前部開口端７ｂ（一方の開口端）から大径部７ｃに向かって徐々に外径が大きくなる第１の曲面７ｄと、大径部７ｃから中央部７ｅに向かって徐々に縮径する第２の曲面７ｆと、第２の円弧面７ｆと後部開口端（他方の開口端）７ｇを繋ぐ連結面７ｈと、連結面７ｈから後部開口端７ｇまで略同径で伸びるストレート部７ｉと、を形成してある。
尚、大径部７ｃは、把持部材７のなかで最も外径寸法を大きく形成してあるため、把持部材７における最大外径は後部より前部の方が大きく、更に、大径部７ｃは肉厚も把持部材７のなかで最大に構成してある。
【００２８】
また、把持部材７の前部開口端７ｂ（一方の開口端）の外径寸法Ｌ１と、後部開口端７ｇ（他方の端部）の外径寸法Ｌ２は、同一の寸法で形成してある。
更に、軸筒本体８の中央外周部８ｆと把持部材７の後部開口端７ｇの外径寸法Ｌ２を略同一に形成し、先口１０の後端外周部１０ｂと把持部材７の前部開口端７ｂの外径寸法Ｌ１を略同一に形成することで、把持部材７の前後方向を入れ替えても先口１０と把持部材７と軸筒本体８との各外周部が段差のない連続面となるよう形成してある。
【００２９】
把持部材７について更に詳述すると、把持部材７は、各々筒状に形成された第一の把持部材１３と第二の把持部材１４の２つを嵌着することで一体に構成してある。
【００３０】
第一の把持部材１３は、樹脂材料であるＰＣ樹脂（比重：１．２）を用いて筒状に形成してあり、後部内周面に軸周方向に沿って延びる凸状に形成された係止部１３ａと、前部内周面に軸方向に沿って延びるガイド溝部１３ｂ（被レール部）を形成してあり、ガイド溝部１３ｂ（被レール部）を軸筒本体８の側面に形成したレール部８ｃに挿入することで、第一の把持部材１３を軸筒本体８（軸筒２）に対して前後方向に摺動自在、且つ軸周方向には回動不能に構成してある。
尚、ガイド溝部１３ｂは、図２から図４のように、第一の把持部材の内周面に形成された複数のガイド突起１３ｃに挟まれることで溝状に形成してあり、内周面に軸周方向に沿って均等に８箇所形成してある。また、把持部材７を軸筒２に取り付ける際、レール部８ｃが案内され易くなるように、ガイド溝部１３ｂの前後端には、溝幅が大きい案内部１３ｄを形成してある。
【００３１】
第二の把持部材１４は、金属材料である黄銅（比重：８．４）を切削加工後、表面にクロムメッキを施してあり、前部外周面の段部１４ａに形成した軸周方向に沿って凸状に伸びる被係止部１４ｂを第一の把持部材１３の係止部１３ａに落とし込み嵌合させることで嵌着し、一体化してある。
また、第二の把持部材１４は、第一の把持部材１３より比重の高い金属材料で形成してあるため、把持部材７のなかで重量が集中する錘部となり、把持部材７の前後を入れ替えた際に、第二の把持部材１４が位置する方へ重心位置が移動するよう構成してある。
【００３２】
尚、本実施例では、把持部材を２部品で構成した場合を例示したが、３部品以上の部品を各々を連結させて１体的に構成してもよく、１部品で把持部材を構成してもよい。そして、１部品で構成する場合は把持部材における大径部とストレート部（他端の外径部）との径差及び肉厚の差により重心位置を変化させるため、比重の高い材料で把持部材を形成、及び／又は、径差及び肉厚差を大きくすることが好ましい。
【００３３】
先口１０は、ＰＣ樹脂（比重：１．２）を用いて形成し、図１に示すように、前部にボールペンレフィル３のボールペンチップ１２が前方に向かって突出可能な前端開口部１０ａを形成してある。尚、前端開口部１０ａの内径寸法は、ボールペンレフィル３が軸筒２内で前後に摺動可能になるように、ボールペンチップ１２の外径寸法より若干大きく形成してある。
また、先口１０の後部内面には、軸筒本体８の雄螺子部８ｂと着脱自在に螺合する雌螺子部１０ｃが形成してあり、更に、先口１０の内面に形成された内段部１０ｄとボールペンレフィル３の外段部３ａとの間にコイルスプリング１５を配設することで、コイルスプリング１５によりボールペンレフィル３を後方に弾発してある。
【００３４】
更に、先口１０の雌螺子部１０ｃと軸筒本体８の雄螺子部８ｂとを螺着する際、把持部材７は、ガイド溝部１３ｂ（被レール部）と軸筒本体８の側面に形成したレール部８ｃに合わせた状態で後部開口端７ｇ側から挿入し、把持部材７を先口１０の後端面１０ｅと軸筒本体８の外段部８ｇとで狭持することで、軸筒２に対して回動不能に固定してある。
尚、本実施例では、軸筒２に対して把持部材７を回転させる際に必要な力は、０．５Ｎ・ｍ以上となるため、使用時に軸筒２に対して把持部材７が回転することはない。
【００３５】
後軸部材９は、ＰＣ樹脂（比重：１．２）を用いて形成し、図１に示すように、前筒部９ａと後筒部９ｂで構成されており、前筒部９ａは後筒部９ｂより小径で形成してある。そして、前筒部には外方に突出する係止突部９ｃが形成してあり、係止突部９ｃと軸筒本体８の係止孔部８ｅとを係着することで、軸筒本体８に後軸部材９を着脱不能に嵌着してある。
また、後筒部９ｂの外周面には外方に突出する突起部９ｄを形成してあり、突起部９ｄにクリップ６を嵌着し固定してある。
【００３６】
更に、後軸部材９の内部には、ノック操作によりボールペンレフィル３の前端を先口１０の前端開口部１０ａから出没させる公知の回転カム機構１６を形成してある。
【００３７】
回転カム機構１６には、軸筒２の内部に配設したボールペンレフィル３の出没切替のための回転カム４と、後軸部材９の内周面に回転カム４に係合するカム溝９ｅと、を設けてある。そして、ボールペンレフィル３の前端が軸筒２内に没入した状態（図１参照）でノック体５が前方へ押圧操作（ノック操作）されると、回転カム４がカム溝９ｅに沿って前方へ摺動し、回転カム４に押されたボールペンレフィル３の前端が先口１０の前端開口部１０ａから前方へ突出され、更に、回転カム機構１６の作用により回転カム４が回転されることによって、回転カム４は軸筒本体８の内段に当接して軸方向後方への相対移動が禁止され、押圧操作の終了後もボールペンレフィル３の前端の突出状態が維持される状態となる図５の状態となる。
また、図５のボールペンレフィル３の前端が突出した状態で、再度ノック体５が前方へ押圧操作（ノック操作）されると、回転カム機構１６の作用によって回転カム４の軸方向後方への相対移動が許容され、コイルスプリング１５の弾発力によってボールペンレフィル３及びノック体５が軸方向後方に押し戻されて初期状態（図１の状態）に復帰するようになっている。
尚、ノック体５はＡＢＳ樹脂（比重：１．０４）を用いて形成し、回転カム４はＰＯＭ樹脂（比重：１．５６）を用いて形成してある。
【００３８】
ここで、図１から図３及び図６から図８を用いて把持部材７を前後方向を入れ替え、軸筒本体８（軸筒２）の前部外周面８ａ（支持部）に取り付けることで把持感触及び重心位置が変化することを説明する。
図１から図３に示すように、把持部材７は、第一の把持部材１３の内面に形成されたガイド溝部１３ｂ（被レール部）により軸筒本体８のレール部８ｃに着脱自在に装着されており、把持部材７または軸筒本体８を把持して先口１０を回転し、螺合を解除して先口１０を軸筒本体８から取り外すことで、図６のようにレール部８ｃに沿って引き抜くことができる。
この状態で、図７ように把持部材７の前後方向を逆にしてレール部８ｃに再挿入することで、把持部材７を前後を逆にした状態で取り付けることができる。（図８の状態）
この時、錘部である金属製の第二の把持部材１４が把持部材７における前方側から後方側に移動することで筆記具１の重心位置が軸筒２の中央側へ移動するため、筆記時の慣性モーメントＩが小さくなるなり、更に、把持部材７を手で把持する位置も大径部７ｃからストレート部７ｉ付近の小径部に移るため、軽く握って筆記したい場合に使用し易いものとなる。逆に、錘部である第二の把持部材１４が前方側にある図１の状態では、慣性モーメントＩは若干大きくなるが錘部が前方側に位置しているため筆記先端のブレが小さくなることで筆記動作が安定し、更に、大径部７ｃが指で把持する位置にくるため強く握ってしっかり筆記したい場合に使用し易いものとなる。
【００３９】
次に、把持部材７の前後方向を逆にして付け替えた状態で筆記した際に発生する慣性モーメントＩについて具体的に説明する。
筆記具１の総重量は計測により１０．５ｇであり、図１及び図８の状態からノック体５をノック動作し、ボールペンレフィル３の前端が先口１０の前端開口部１０ａから突出した状態（筆記時）での筆記具の全長が１４６．７ｍｍであった。
ここで、図５のように、金属製の第二の把持部材１４が前方側にある場合の重心位置は、筆記先端から５８．１ｍｍに位置し、重心位置を回転軸として計算した慣性モーメントＩは、Ｉ≒１．７２×１０−５ｋｇ・ｍ２であった。
また、図９のように、金属製の第二の把持部材１４が後方側にある場合の重心位置は、筆記先端から６７．３ｍｍに位置し、重心位置を回転軸として計算した慣性モーメントＩは、Ｉ≒１．３１×１０−５ｋｇ・ｍ２であった。  
【００４０】
このため、把持部材７の前後方向を入れ替えても、重心位置は筆記具１を把持した際の把持位置となる筆記具先端から約２０ｍｍの位置から筆記具全長の１／２の位置（７３．３５ｍｍ）の間に位置しているため、重心と把持する部位が一致し、筆記時の重量バランス及び安定感を維持しつつ、好みに合わせて把持感触や重心位置を容易に変更可能な筆記具を提供できるものとなった。
【００４１】
尚、本実施の形態では、便宜上、回転カムを用いたノック式ボールペンを例示してあるが、他の構造を有するノック式筆記具やキャップ式筆記具にも実施することができる。但し、キャップ式筆記具に実施する場合には、キャップを外し、後軸にキャップを嵌合（後ろ差し）した状態で筆記することを考慮し、後軸にキャップを嵌合した状態で、重心位置を算出するものとする。
【符号の説明】
【００４２】
１…筆記具、
２…軸筒、２ａ…後部開口部、
３…ボールペンレフィル、３ａ…外段部、
４…回転カム、
５…ノック体、
６…クリップ、
７…把持部材、７ａ…内孔、７ｂ…前部開口端（一方の開口端）、７ｃ…大径部、
７ｄ…第一の曲面、７ｅ…中央部、７ｆ…第２の曲面、
７ｇ…後部開口端（他方の開口端）、７ｈ…連結面、７ｉ…ストレート部、
８…軸筒本体、８ａ…前部外周面（支持部）、８ｂ…雄螺子部、８ｃ…レール部、
８ｄ…後部外周面、８ｅ…係止孔部、８ｆ…中央外周部、８ｇ…外段部、
９…後軸部材、９ａ…前筒部、９ｂ…後筒部、９ｃ…係止突部、９ｄ…突起部、
９ｅ…カム溝、
１０…先口、１０ａ…前端開口部、１０ｂ…後端外周部、１０ｃ…雌螺子部、
１０ｄ…内段部、１０ｅ…後端面、
１１インキ収容筒、
１２…ボールペンチップ、
１３…第一の把持部材、１３ａ…係止部、１３ｂ…ガイド溝部（被レール部）、
１３ｃ…ガイド突起、１３ｄ…案内部、
１４…第二の把持部材、１４ａ…段部、１４ｂ…被係止部、
１５…コイルスプリング、
１６…回転カム機構。
【図１】
2018187812.tif 000003
【図２】
2018187812.tif 000004
【図３】
2018187812.tif 000005
【図４】
2018187812.tif 000006
【図５】
2018187812.tif 000007
【図６】
2018187812.tif 000008
【図７】
2018187812.tif 000009
【図８】
2018187812.tif 000010
【図９】
2018187812.tif 000011